(57)【特許請求の範囲】
【請求項１】
足で踏まれる踏み台と、踏み台に回転可能に軸着されたローラと、ボードを支持するボード支持部とを備えており、
この踏み台の前方にボード支持部が固定されており、
このローラが転がって踏み台が前後方向に移動可能にされており、
この踏み台とボード支持部とがローラの回転軸に対して回動可能にされており、
このボード支持部がボードの下面を支持するリフト爪を備えており、
上記踏み台が軸を備えており、
上記ローラがこの軸に軸着されており、
このローラが踏み台に対して軸の長手方向に移動可能にされているボードリフトアップ機。
【請求項２】
弾性体を備えており、
上記ローラが軸の長手方向の移動端に位置するとこの弾性体がこのローラを軸の長手方向のいずれの向きにも移動可能な位置向きに付勢する請求項１に記載のボードリフトアップ機。
【請求項３】
上記踏み台を踏む足の甲の上方に位置する足カバーを備えており、
上記ボード支持部がボード支持部に支持されたボードの正面に面するボードガイドを備えており、
この足カバーがボードガイドから後方に延びている請求項１又は２に記載のボードリフトアップ機。
【発明の詳細な説明】
【技術分野】
【０００１】
本発明は、建築工事において、石膏ボード等のボードを下地材に張り付ける際に、そのボードを支持するボードリフトアップ機に関する。
【背景技術】
【０００２】
特開平４−３２３４６８号公報には、ボード持上用治具が開示されている。このボード持上用治具は、ボードリフトアップ機の一種である。このボード持上用治具では、床面に置かれる基板に揺動アームが揺動可能に取り付けられている。この揺動アームの先端にボードの下端を載せる載置部が設けられている。揺動アームの後端部を踏圧操作して、ボードが持ち上げられる。ボードを適当な高さに持ち上げた状態でボードが釘打ちされて固定される。このボード持上用治具は、下地材へのボードの張り付けを容易にしている。
【先行技術文献】
【特許文献】
【０００３】
【特許文献１】特開平４−３２３４６８号公報
【発明の概要】
【発明が解決しようとする課題】
【０００４】
このボード持上用治具は、ボードを持ち上げた状態で移動させると、基板が床面に擦られる。ボードを持ち上げた状態のボード持上用治具の移動はし難い。このボード持上用治具は、床面を傷つける恐れがある。ボードの位置の微調整が必要になると、ボードを手で持ち上げて修正する必要がある。場合によっては、ボードを手で持った状態でボード持上用治具の位置を修正する必要が生じる。
【０００５】
このボード持上用治具は、持ち上げられたボードの張り付け位置の微調整がし難い。このボード持上用治具は、ボードを持ち上げた状態で移動しなくてもよい様に、予めボードを貼り付ける位置に仮置きする必要がある。ボードを張り付け位置に精度よく仮置きすることは作業性に劣る。
【０００６】
本発明の目的は、作業性に優れたボードリフトアップ機の提供にある。
【課題を解決するための手段】
【０００７】
本発明に係るボードリフトアップ機は、足で踏まれる踏み台と、踏み台に回転可能に軸着されたローラと、ボードを支持するボード支持部とを備えている。この踏み台の前方にボード支持部が固定されている。このローラが転がって、踏み台は前後方向に移動可能にされている。この踏み台とボード支持部とは、ローラの回転軸に対して回動可能にされている。このボード支持部は、ボードの下面を支持するリフト爪を備えている。  
【０００８】
好ましくは、このボードリフトアップ機の上記踏み台は、軸を備えている。上記ローラは、この軸に軸着されている。このローラは、踏み台に対して軸の長手方向に移動可能にされている。
【０００９】
好ましくは、このボードリフトアップ機は、弾性体を備えている。上記ローラが長手方向の移動端に位置すると、この弾性体がこのローラを軸の長手方向の中央向きに付勢する。
【００１０】
好ましくは、このボードリフトアップ機は、上記踏み台を踏む足の甲の上方に位置する足カバーを備えている。上記ボード支持部は、ボード支持部に支持されたボードの正面に面するボードガイドを備えている。この足カバーは、ボードガイドから後方に延びている。
【発明の効果】
【００１１】
このボードリフトアップ機は、足で踏んだ状態で前後方向に移動し得る。このボードリフトアップ機は、ボードを載せた状態でボードを上下方向に移動し得る。このボードリフトアップ機は、手を使わずに足で容易に操作しうる。このボードリフトアップ機は、床面を傷つけることが抑制されている。
【図面の簡単な説明】
【００１２】
【図１】図１は、本発明に係る一実施形態のボードリフトアップ機が示された斜視図である。
【図２】図２（ａ）は図１のボードリフトアップ機の左側面図であり、図２（ｂ）は図１のボードリフトアップ機の底面図である。
【図３】図３は図１のボードリフトアップ機の使用状態が示された説明図である。
【図４】図４（ａ）は図１のボードリフトアップ機の他の使用状態が示された説明図であり、図４（ｂ）は図１のボードリフトアップ機の更に他の使用状態が示された説明図であり、図４（ｃ）は図１のボードリフトアップ機の更に他の使用状態が示された説明図である。
【図５】図５（ａ）は図４（ｂ）のボードリフトアップ機の使用状態の底面が示された説明図であり、図５（ｂ）は図１のボードリフトアップ機の他の使用状態の底面が示された説明図であり、図４（ｃ）は図１のボードリフトアップ機の更に他の使用状態の底面が示された説明図である。
【発明を実施するための形態】
【００１３】
以下、適宜図面が参照されつつ、好ましい実施形態に基づいて本発明が詳細に説明される。
【００１４】
図１のボードリフトアップ機２は、踏み台４、ローラ６、ボード支持部８及び足カバー１０を備えている。図１の矢印Ｘは、前後方向前向きを示している。矢印Ｙは、左右方向左向きを示している。矢印Ｚは上下方向上向きを示している。
【００１５】
図２（ａ）及び図２（ｂ）に示されるように、踏み台４は、踏み板１２と、左右一対の側板１４と、前板１６と、軸としての軸ボルト２２と、座金２４と、ナット２６と、弾性体としてのばね２８とを備えている。
【００１６】
踏み板１２は、長方形の板状の形状を備えている。左右一対の側板１４は、踏み板１２の左右端から下方に延びている。この側板１４の中央より前方には、軸孔１８が形成されている。この側板１４の上下方向の幅は、軸孔１８が形成された位置から後端に向かって徐々に小さくされている。言い換えると、側板１４の上下方向の幅は、前後方向中央より前方から後端に向かって徐々に小さくされている。前板１６は、踏み板１２の前端から下方に延びている。前板１６には、一対のねじ孔２０が形成されている。
【００１７】
軸ボルト２２の先端には雄ねじが形成されている。この軸ボルト２２は、左右の側板１４の軸孔１８に通されている。軸ボルト２２の先端に座金２４が通されて、先端の雄ねじがナット２６にねじ込まれている。軸ボルト２２は、その軸線を左右方向にして、左右側板１４に取り付けられている。
【００１８】
ローラ６は、外周面３０を有する円柱状の形状を備えている。ローラ６は、その軸を貫通する軸孔３２を備えている。この軸孔３２に軸ボルト２２が通されて、ローラ６は軸ボルト２２に軸着されている。このローラ６の外周面３０の最も下方に位置する部分は、左右の側板１４の下端より下方に突出している。
【００１９】
図２（ｂ）の両矢印Ｗ１は、左側板１４と右側板１４との間の左右の幅を示している。両矢印Ｗ２はローラ６の左右の幅を示している。幅Ｗ１より幅Ｗ２は小さい。このローラ６は、軸ボルト２２の長手方向（軸方向）に移動可能に軸着されている。
【００２０】
このローラ６と左側板１４との間には、ばね２８が位置している。このローラ６と右側板１４との間にも、ばね２８が位置している。この一対のばね２８はコイルばねであり、軸ボルト２２に通されている。このばね２８がローラ６を軸ボルト２２の長手方向中央の向きに付勢している。
【００２１】
ボード支持部８は、ボードガイド３４及びリフト爪３６を備えている。ボードガイド３４は、前方に面して上下方向の延びる板状の形状を備えている。リフト爪３６は、ボードガイド３４の下端から前方に延びている。ねじ３８がボードガイド３４を挟み込んでねじ孔２０にねじ込まれている。ボードガイド３４は、前板１６に取り付けられている。ボード支持部８は、踏み台４の前方に固定されている。
【００２２】
足カバー１０は、足の甲に引っ掛けられる掛部である掛け板４０と、足を挿入する際の案内部であるガイド板４２とを備えている。掛け板４０は、ボードガイド３４の上方から後方に延びている。この掛け板４０と踏み板１２との間に空間が形成されている。ガイド板４２は、掛け板４０の後方端から踏み板１２から離れる上向きに傾斜して延びている。
【００２３】
図３には、床４４と天井４６との間の下地材４８が示されている。作業者は、この下地材４８にボード５０を立て掛ける。ボード５０の下端は床４４に支持されている。ボード５０の上端は下地材４８に支持されている。図３の部分拡大図に示されるように、作業者の足は、ボードリフトアップ機２の踏み台４と足カバー１０との間に挿入されている。作業者が踏み台４を踏んだ状態で足を前後することで、床４４に対してローラ６が転がる。踏み台４が前後方向に移動し得る。
【００２４】
立て掛けられたボード５０の下端には、床４４との間に隙間が空いている。ボードリフトアップ機２が前方に移動させられる。リフト爪３６の先端がこの隙間に入り込む。更にボードリフトアップ機２が前方に移動される。ボード５０の下端がリフト爪３６に支持される。
【００２５】
図４（ａ）には、ボードリフトアップ機２でボード５０が下地材４８に押し付けている状態が示されている。この図４（ａ）では、リフト爪３６がボード５０の下端を支持している。ボードガイド３４がボード５０を下地材４８に押し付けている。図３の状態から作業者が更にボードリフトアップ機２を下地材４８に向けて前方に移動することで、この図４（ａ）の状態に至る。
【００２６】
図４（ｂ）には、作業者が踏み台４を後方に踏み込んだ状態が示されている。踏み台４、ボード支持部８及び足カバー１０が軸ボルト２２を回転軸にして回動している。リフト爪３６は、上方に向かって回動している。ボード５０の下端が上方に持ち上げられている。図４（ａ）の状態から作業者が踏み台４を後方に踏み込むことで、図４（ｂ）の状態に至る。
【００２７】
作業者が踏み台４を後方に踏み込む量を調整することで、図４（ａ）の状態と図４（ｂ）の状態との間で、踏み台４、ボード支持部８及び足カバー１０を回動させることができる。図４（ａ）の状態と図４（ｂ）の状態との間で、ボード５０の上下位置が調整され得る。
【００２８】
作業者は、ボード５０を所定の高さに支持した状態で、下地材４８にボード５０を張り付ける。例えば、ボード５０が下地材４８に釘打ちされる。ボード５０が下地材４８に固定される。
【００２９】
図４（ｃ）には、作業者の足の甲に掛け板４０が引っ掛けられた状態が示されている。このボードリフトアップ機２は、足の甲に引っ掛けて持ち上げられている。ボード５０が下地材４８に固定された後に、踏み台４が前方に踏み込まれる。リフト爪３６は、下方に向かって回動してボード５０の下端から離れる。作業者が足でボードリフトアップ機２を後方に移動する。作業者が足の甲を掛け板４０に引っ掛けて、ボードリフトアップ機２を持ち上げる。この様にして、図４（ｃ）の状態に至る。
【００３０】
このボードリフトアップ機２は、手を使わずに足で移動し得る。作業者は、手で他の作業をしながらボードリフトアップ機２を操作し得る。このボードリフトアップ機２は、作業性に優れている。
【００３１】
図５（ａ）は、図４（ａ）の使用状態を下方から見られた説明図である。図５（ａ）において、矢印Ｘは前後方向前向きであり、矢印Ｙは左右方向の左向きである。図５（ａ）では、左右のばね２８がローラ６を軸ボルト２２の軸方向中央に付勢している。
【００３２】
図５（ｂ）では、踏み台４に右向きの力Ｆ１が作用している。ローラ６に対して踏み台４が右向きに移動している。踏み台４は、ばね２８の付勢力に抗して、右向きに移動している。踏み台４と共にリフト爪３６に支持されたボード５０も右向きに移動している。ローラ６は、軸ボルト２２の長手方向の左移動端に位置している。
【００３３】
図５（ｃ）では、踏み台４に左向きの力Ｆ２が作用している。ローラ６に対して踏み台４が左向きに移動している。踏み台４は、ばね２８の付勢力に抗して、左向きに移動している。踏み台４と共にリフト爪３６に支持されたボード５０も左向きに移動している。ローラ６は、軸ボルト２２の長手方向の右移動端に位置している。
【００３４】
作業者は、ボードの貼り付け作業において、ボード５０を下地材４８に対して左右方向に位置調整する場合がある。前述の図４（ａ）の状態で、ボード５０を右に寄せたい場合、作業者は足で踏み台４を右方向に押す。図５（ｂ）の力Ｆ１は、作業者が足で押す力を表している。床４４に接しているローラ６は位置を変えずに踏み台４が右に移動する。図５（ａ）の状態から図５（ｂ）の状態に至る。
【００３５】
作業者が踏み台４を右向きに移動させる量を調整することで、図５（ａ）の状態と図５（ｂ）の状態との間で、踏み台４、ボード支持部８及び足カバー１０を右向きにに移動させることができる。図５（ｂ）の状態で、ばね２８の付勢力により、このローラ６は中央向きに付勢されている。
【００３６】
同様に、前述の図４（ａ）の状態で、ボード５０を左に寄せたい場合、作業者は足で踏み台４を左方向に押す。図５（ｃ）の力Ｆ２は、作業者が足で押す力を表している。床４４に接しているローラ６は位置を変えずに踏み台４が左に移動する。図５（ａ）の状態から図５（ｃ）の状態に至る。
【００３７】
作業者が踏み台４を左向きに移動させる量を調整することで、図５（ａ）の状態と図５（ｃ）の状態との間で、踏み台４、ボード支持部８及び足カバー１０を左向きにに移動させることができる。図５（ｃ）の状態で、ばね２８の付勢力により、このローラ６は中央向きに付勢されている。
【００３８】
このようにして、図５（ｂ）の状態と図５（ｃ）の状態との間で、ボード５０の左右位置が調整され得る。所定の左右位置で、作業者が踏み台４を後方に踏み込む。図４（ｂ）に示されるように、ボード５０が持ち上げられる。ボード５０が所定の上下位置に調整される。ボード５０が下地材４８に張り付けられる。
【００３９】
ここでは、ボード５０の左右位置が調整された後に上下位置が調整される例の説明がされたが、上下位置が調整された後に左右位置が調整されてもよい。また、左右位置と上下位置とが同時に調整されてもよい。
【００４０】
左右幅Ｗ１に対してローラ６の左右幅Ｗ２が小さく、ローラ６が軸ボルト２２の中央に位置しているので、軸ボルト２２の長手方向のいずれの向きにも移動可能にされている。このローラ６は、必ずしも軸ボルト２２の中央に位置する必要はない。ローラ６は、長手方向のいずれの向きにも移動可能な位置であれば、軸ボルト２２の中央より右寄りに位置してもよいし、左寄りに位置してもよい。
【００４１】
図５（ｂ）の状態で外力Ｆ１を取り除くと、ばね２８の付勢力により、このローラ６は中央向きに移動する。図５（ｃ）の状態で外力Ｆ２を取り除くと、ばね２８の付勢力により、このローラ６は中央向きに移動する。ばね２８を備えることで、このローラ６は、外力Ｆ１及びＦ２を取り除くと、軸ボルト２２の長手方向のいずれの向きにも移動可能な位置に戻される。ばね２８を備えることで、使用の都度、ローラ６を軸ボルト２２の長手方向のいずれの向きにも移動可能な位置に手動で戻す必要がない。この観点から、ばね２８は、ローラが図５（ｂ）又は図５（ｃ）に示されるように左右に寄った際に中央向きに付勢すればよく、ローラ６が中央に位置する際にも中央向きに付勢していなくてもよい。
【００４２】
ばね３０は左右の移動端に寄ったローラ６を中央向きに付勢すればよく、この観点から、コイルばねのばね３０に代えて、板ばねが用いられてもよいし、ゴム紐、ゴムクッション等が用いられてもよい。
【符号の説明】
【００４３】
２・・・ボードリフトアップ機
４・・・踏み台
６・・・ローラ
８・・・ボード支持部
１０・・・足カバー
１２・・・踏み板
１４・・・側板
１６・・・前板
１８・・・軸孔
２０・・・ねじ孔
２２・・・軸ボルト
２４・・・座金
２６・・・ナット
２８・・・ばね
３０・・・外周面
３２・・・軸孔
３４・・・ボードガイド
３６・・・リフト爪
３８・・・ねじ
４０・・・掛け板
４２・・・ガイド板
４４・・・床
４６・・・天井
４８・・・下地材
５０・・・ボード
【図１】
0005451584.tif 000002
【図２】
0005451584.tif 000003
【図３】
0005451584.tif 000004
【図４】
0005451584.tif 000005
【図５】
0005451584.tif 000006